(57)【特許請求の範囲】
【請求項１】
複数の印字ヘッドが電気的に接続される第１の回路基板と、前記第１の回路基板とは別体に構成され前記第１の回路基板に電気的に接続される第２の回路基板と、を備え、
前記印字ヘッドのそれぞれに該印字ヘッドの特定情報が記憶されている印刷装置において、
前記第１の回路基板に接続された印字ヘッドの特定情報と前記第１の回路基板に記憶されている第１の比較対象情報との比較結果と、前記第１の回路基板に接続された印字ヘッドの特定情報と前記第２の回路基板に記憶されている第２の比較対象情報との比較結果とに基づいて、前記複数の印字ヘッドと前記第１の回路基板と前記第２の回路基板とのうち前記第１の回路基板のみが交換された状態であるか否かを判定する判定手段を備えたことを特徴とする印刷装置。
【請求項２】
前記第１の回路基板は、前記第１の比較対象情報として所定の初期値を固定的に記憶させておく第１の記憶手段と、前記所定の初期値から書き換え可能に前記第１の比較対象情報を記憶する第２の記憶手段と、を備え、
前記第２の回路基板は、前記第２の比較対象情報が記憶される第３の記憶手段を備え、
前記第３の記憶手段は、前記第２の記憶手段に記憶されている前記第１の比較対象情報のバックアップデータとして前記第２の比較対象情報が所定のタイミングで書き換えられるように構成されていることを特徴とする請求項１に記載の印刷装置。
【請求項３】
前記判定手段により前記複数の印字ヘッドと前記第１の回路基板と前記第２の回路基板とのうち前記第１の回路基板のみが交換された状態と判定された場合に、前記第３の記憶手段に記憶されている前記第２の比較対象情報を前記第１の比較対象情報として前記第２の記憶手段に記憶させることを特徴とする請求項２に記載の印刷装置。
【請求項４】
前記判定手段は、前記第１の回路基板に接続された印字ヘッドの特定情報の少なくとも1つが前記第１の比較対象情報として前記第２の記憶手段に記憶されていなく、且つ、前記第１の回路基板に接続された印字ヘッドの特定情報の何れもが前記所定の初期値として前記第１の記憶手段に記憶されていなく、且つ、前記第１の回路基板に接続された印字ヘッドの特定情報の何れかが前記第２の比較対象情報として前記第３の記憶手段に記憶されている場合に、前記複数の印字ヘッドと前記第１の回路基板と前記第２の回路基板とのうち前記第１の回路基板のみが交換された状態と判定することを特徴とする請求項３に記載の印刷装置。
【発明の詳細な説明】
【技術分野】
【０００１】
本発明は、プリンタ装置等の印刷装置に関する。
【背景技術】
【０００２】
今日、プリンタ装置等の印刷装置には、印字ヘッドのシリアル番号や、印字ヘッドを構成する印字素子の補正光量情報を記憶し、また出荷後の装置の消耗品や、定期交換部品、その他制御に必要なパラメータを記憶した記憶装置を配設している。このような記憶装置としては、例えばプリンタ制御基板に配設された不揮発メモリが対応している。
【０００３】
また、印刷装置には、上記プリンタ制御基板をメイン基板として、このメイン基板とは別のサブ基板が取り付けられ、上記不揮発メモリ等の記憶装置に記憶された上記情報をバックアップするためのバックアップ用の記憶装置が配設されている。
【０００４】
一方、特許文献１には操作パネルの操作によって印刷ジョブや装置の固有情報を不揮発メモリに書き込み、その後不揮発メモリに書き込んだ情報をエンジンＩ／Ｆを介してエンジン制御基板の不揮発メモリに書き込み、両不揮発メモリに書き込んだ情報を互いに保存し、情報のバックアップを行う発明が開示されている。
【先行技術文献】
【特許文献】
【０００５】
【特許文献１】特開２００１−０４７６９４号公報
【発明の概要】
【発明が解決しようとする課題】
【０００６】
しかしながら、上記プリンタ制御基板にサブ基板を有する印刷装置では、メイン基板のみが交換された場合でも、サブ基板との関係で何れの基板が交換されたのか判別できない。また、特許文献１の画像処理装置では、両不揮発メモリに書き込んだ情報を互いに保存し、情報のバックアップを行う発明であり、メイン基板、サブ基板の関係ではなく、両不揮発メモリが何れの基板に配設されているかも分からない。
【０００７】
そこで本発明は、メイン基板とサブ基板とのうちメイン基板が交換されたことを知ることのできる印刷装置を提供することを目的とする。
【課題を解決するための手段】
【０００８】
上記の目的を達成するために、本発明に係る印刷装置は、複数の印字ヘッドが電気的に接続される第１の回路基板と、前記第１の回路基板とは別体に構成され前記第１の回路基板に電気的に接続される第２の回路基板と、を備え、前記印字ヘッドのそれぞれに該印字ヘッドの特定情報が記憶されている印刷装置において、前記第１の回路基板に接続された印字ヘッドの特定情報と前記第１の回路基板に記憶されている第１の比較対象情報との比較結果と、前記第１の回路基板に接続された印字ヘッドの特定情報と前記第２の回路基板に記憶されている第２の比較対象情報との比較結果とに基づいて、前記複数の印字ヘッドと前記第１の回路基板と前記第２の回路基板とのうち前記第１の回路基板のみが交換された状態であるか否かを判定する判定手段を備えたことを特徴とする。
【発明の効果】
【０００９】
本発明によれば、メイン基板とサブ基板とのうちメイン基板が交換されたことを知ることのできる印刷装置を提供することができる。
【図面の簡単な説明】
【００１０】
【図１】プリンタ装置の制御装置を含む回路ブロック図である。
【図２】本実施形態におけるプリンタ装置（印刷装置）の内部構成を説明する断面図である。
【図３】プリンタ装置において、制御装置の回路基板構成を説明する図である。
【図４】ＥＥＰＲＯＭに記憶されたデータのバックアップ処理を説明するフローチャートである。
【図５】プリンタ制御メイン基板の交換を判断する処理動作を説明するフローチャートである。
【発明を実施するための形態】
【００１１】
以下、本発明の実施の形態を図面を参照しながら説明する。
図２は、本実施形態におけるプリンタ装置（印刷装置）の内部構成を説明する断面図である。同図に示すプリンタ装置１は、電子写真式で二次転写方式のタンデム型のカラープリンタ装置であり、４つの画像形成部２、中間転写ベルトユニット３、トナー供給部４、給紙部５、ベルト式定着ユニット６、及び両面印刷用搬送ユニット７で構成されている。
【００１２】
上記画像形成部２は、転写ベルトユニット３の転写ベルト８の下部走行部表面８ａに接して同図の右から左へ４個の現像装置９（９ｍ、９ｃ、９ｙ、９ｋ）を多段式に並設した構成からなる。この画像形成部２は、図２に示す印刷実行時位置から、それより下方の保守位置に、昇降可能にプリンタ装置１本体のフレームに保持されている。
【００１３】
上記４個の現像装置９のうち下流側（図の右側）の３個の現像装置９ｍ、９ｃ、及び９ｙは、それぞれ減法混色の三原色であるマゼンタ（Ｍ）、シアン（Ｃ）、イエロー（Ｙ）の色トナーによるモノカラー画像を形成し、現像装置９ｋは、主として文字や画像の暗黒部分等に用いられるブラック（Ｋ）トナーによるモノクロ画像を形成する。
【００１４】
上記の各現像装置９は、画像を現像するトナーの色を除き全て同じ構成である。したがって、以下ブラック（Ｋ）のトナー用の現像装置９ｋを例にしてその構成を説明する。
【００１５】
現像装置９は、最上部に感光体ドラム１０を備えている。この感光体ドラム１０は、その周面が例えば有機光導電性材料で構成されている。この感光体ドラム１０の周面近傍を取り巻いて、クリーナ１１、帯電ローラ１２、光書込ヘッド１３、及び現像器１４の現像ローラ１５が配置されている。
【００１６】
現像器１４は、外部を覆う筐体１６、内部に設けられた隔壁１７、現像ローラ１５、第１の攪拌搬送スクリュー１８、及び第２の攪拌搬送スクリュー１９を備えている。第１及び第２の攪拌搬送スクリュー１８及び１９は、特には図示しないが、スクリュー軸と、このスクリュー軸と一体に構成されて回転するフィンから成る。
【００１７】
この現像器１４には、トナー供給部４の詳しくは後述するリザーブタンクから、同図にはＭ、Ｃ、Ｙ、Ｋで示すようにマゼンタ（Ｍ）、シアン（Ｃ）、イエロー（Ｙ）、ブラック（Ｋ）のいずれかのトナーが供給される。
【００１８】
転写ベルトユニット３は、本体装置のほぼ中央で図の左右方向に扁平なループ状になって延在する無端状の上述した転写ベルト８と、この転写ベルト８を掛け渡されて転写ベルト８を図の矢印ａで示す反時計回り方向に循環移動させる駆動ローラ２１と従動ローラ２２を備えている。
【００１９】
上記の転写ベルト８は、下方を循環移動するベルト表面に、ユニットと一体に組み込まれて転写ベルト８を介して感光体ドラム１０に圧接する一次転写ローラ２０によりトナー像を直接転写（一次転写）されて、そのトナー像を更に用紙に転写（二次転写）すべく用紙への二次転写部２３まで搬送する。
【００２０】
この転写ベルトユニット３には、駆動ローラ２１に掛け渡されている表面に当接するクリーニングブレードを備えたベルトクリーナ２４が配置されている。ベルトクリーナ２４の下方には廃トナー回収容器２５が着脱自在に配置されている。
【００２１】
ベルトクリーナ２４は、クリーニングブレードが転写ベルト８の表面に当接して廃トナーを擦り取って除去し、その廃トナーを搬送スクリューにより下方の廃トナー回収容器２５に送り込んでいる。
【００２２】
トナー供給部４は、転写ベルト８の上部走行部の上方に配置されている４個のリザーブタンク２６（２６ｍ、２６ｃ、２６ｙ、２６ｋ）と、これらのリザーブタンク２６の上にそれぞれ着脱自在に配置されたトナー補充用のトナーカートリッジ２７（２７ｍ、２７ｃ、２７ｙ、２７ｋ）で構成される。
【００２３】
４個のトナーカートリッジ２７ｍ、２７ｃ、２７ｙ、２７ｋは、それぞれマゼンタ（Ｍ）、シアン（Ｃ）、イエロー（Ｙ）、ブラック（Ｋ）のトナーを収容し、４個のリザーブタンク２６（２６ｍ、２６ｃ、２６ｙ、２６ｋ）は、それぞれ上に装着されているトナーカートリッジ２７からトナーを補充される。
【００２４】
これら４個のリザーブタンク２６は、図２では転写ベルトユニット３の向う側に隠れて見えないが、それぞれトナー供給路により対応する現像装置９の現像器１４と連結されている。
【００２５】
このトナー供給部４は、特には図示しないが、図２に示す印刷実行時位置から、それより上方の保守位置に、昇降可能にプリンタ１本体のフレームに保持されている。
【００２６】
このトナー供給部４の左方には、ベルトクリーナ２４の左方から駆動ローラ２１の上方にかけて２つの電装部３０が配設されている。電装部３０には、詳しくは後述する複数の電子部品からなる制御装置が搭載された回路基盤を備えている。
【００２７】
給紙部５は、上下２段に配置された２個の給紙カセット２９（２９ａ、２９ｂ）を備えている。２個の給紙カセット２９の給紙口（図の右方）近傍には、それぞれ用紙取出ローラ３１、給送ローラ３２、捌きローラ３３、待機搬送ローラ対３４が配置されている。
【００２８】
待機搬送ローラ対３４の用紙搬送方向（図の鉛直上方向）には、転写ベルト８を介して従動ローラ２２に圧接する二次転写ローラ３５が配設されて、前述した用紙への二次転写部２３を形成している。
【００２９】
この二次転写部の下流（図では上方）側にはベルト式熱定着ユニット６が配置されている。ベルト式熱定着ユニット６の更に下流側には、定着後の用紙をベルト式熱定着ユニット６から搬出する搬出ローラ対３６、及びその搬出される用紙を装置上面に形成されている排紙トレー３７に排紙する排紙ローラ対３８が配設されている。
【００３０】
両面印刷用搬送ユニット７は、外面（図の右方外側面）がプリンタ装置１の内部を側面から外部に開放又は遮蔽する開閉部材を兼ねている。
【００３１】
この両面印刷用搬送ユニット７は、排紙ローラ対３８の直前から図の右横方向に分岐する開始返送路３９ａ、それから下方に曲がる中間返送路３９ｂ、更に上記とは反対の左横方向に曲がって最終的に返送用紙を反転させる終端返送路３９ｃから成る返送路３９を備えている。
【００３２】
また、返送路３９の途中には、５組の返送ローラ対４１（４１ａ、４１ｂ、４１ｃ、４１ｄ、４１ｅ）が配置されている。上記終端返送路４１ｅの出口は、給紙部５の下方の給紙カセット２９ｂに対応する待機搬送ローラ対３４への搬送路に合流している。
図１は、上記プリンタ装置１の制御装置を含む回路ブロック図である。同図に示すように回路ブロックは、ＣＰＵ（central processing unit)５０を中心にして、このＣＰＵ５０に、それぞれデータバスを介してインターフェイスコントローラ（Ｉ／Ｆ＿ＣＯＮＴ）５１及びプリンタコントローラ（ＰＲ＿ＣＯＮＴ）５２が接続されている。ＰＲ＿ＣＯＮＴ５２にはプリンタ印字部５３が接続されている。
【００３３】
また、ＣＰＵ５０には、ＲＯＭ（read only memory）５４、ＥＥＰＲＯＭ（electrically erasable programmable ROM）５５、本体操作部の操作パネル５６、各部に配置されたセンサからの出力が入力されるセンサ部５７、及びドットカウンタ５８が接続されている。
【００３４】
ＲＯＭ５４には、システムプログラムが記憶され、ＣＰＵ５０は、このシステムプログラムに従って各部を制御して処理を行う。
【００３５】
すなわち、各部において、先ず、Ｉ／Ｆ＿ＣＯＮＴ５１は、例えばパーソナルコンピュータ等のホスト機器から供給される印字データをビットマップデータに変換し、フレームメモリ６０に展開する。フレームメモリ６０は、ブラック（Ｋ）、マゼンタ（Ｍ）、シアン（Ｃ）、イエロー（Ｙ）毎に記憶エリアが設定されており、各色のデータが対応するエリアに展開される。
【００３６】
フレームメモリ６０に展開されたデータはＰＲ＿ＣＯＮＴ５２に出力され、ＰＲ＿ＣＯＮＴ５２からプリンタ印字部５３に出力される。
【００３７】
プリンタ印字部５３はエンジン部であり、ＰＲ＿ＣＯＮＴ５２の制御の下で、図２に示した感光体ドラム１０、一次転写ローラ２０等を含む不図示の回転駆動系、帯電ローラ１２、光書込ヘッド１３等の被駆動部を有する画像形成部、転写ベルトユニット３の上下移動や転写ベルト８の回転を駆動する不図示の駆動部を備えている。
【００３８】
そして、ＰＲ＿ＣＯＮＴ５２から出力されたブラック（Ｋ）、マゼンダ（Ｍ）、シアン（Ｃ）、イエロー（Ｙ）の各色のデータは、プリンタ印字部５３からそれぞれ対応する図２に示した光書込ヘッド１３に供給される。
【００３９】
また、ドットカウンタ５８は、光書込ヘッド１３に供給される各色のデータに基づく光書込ヘッド１３による感光体ドラム１０への露光面積に基づいて印字に使用されるトナーの量を算出する。
【００４０】
図３は上記構成のプリンタ装置１において、上記回路を搭載した回路基板構成を説明する図である。前述のＩ／Ｆ＿ＣＯＮＴ５１はインターフェイス制御基板（以下、Ｉ／Ｆ制御基板で示す）６５に配設され、ＰＲ＿ＣＯＮＴ５２はプリンタ制御メイン基板６６及びプリンタ制御サブ基板６７に配設されている。
【００４１】
また、図３に示すＫヘッドはブラック（Ｋ）の印字を行う光書込ヘッド１３であり、Ｃヘッドはシアン（Ｃ）の印字を行う光書込ヘッド１３であり、Ｍヘッドはマゼンタ（Ｍ）の印字を行う光書込ヘッド１３であり、Ｙヘッドはイエロー（Ｙ）の印字を行う光書込ヘッド１３である。上記Ｋヘッド、Ｃヘッド、Ｍヘッド、及びＹヘッドは、前述のプリンタ印字部５３に配設されている。
【００４２】
また、上記Ｉ／Ｆ制御基板６５には、ＣＰＵ６５ａ、ＲＯＭ６５ｂ、ＲＡＭ６５ｃ等の回路が内蔵され、前述のようにホスト機器から供給される印字データをビデオデータに変換し、例えばＲＡＭ６５ｃに構築される前述のフレームメモリ６０に展開する。また、上記ＣＰＵ６５ａ、及びＲＯＭ６５ｂは、前述の図１に示すＣＰＵ５０、及びＲＯＭ５４に含まれる。また、Ｉ／Ｆ制御基板６５には前述の操作パネル５６から操作信号が入力する。
【００４３】
プリンタ制御メイン基板６６には、ＣＰＵ６６ａ、ＲＯＭ６６ｂ、ＲＡＭ６６ｃ、及びＥＥＰＲＯＭ６６ｄが内蔵され、Ｉ／Ｆ＿ＣＯＮＴ５１（Ｉ／Ｆ制御基板６５）のフレームメモリ６０から供給されるビデオデータをＫヘッド、Ｃヘッド、Ｍヘッド、Ｙヘッドに送信する。また、上記ＣＰＵ６６ａ、及びＲＯＭ６６ｂは、前述の図１に示すＣＰＵ５０、及びＲＯＭ５４に含まれる。さらに、ＥＥＰＲＯＭ６６ｄは、図１に示すＥＥＰＲＯＭ５５に含まれる。
【００４４】
Ｋヘッド、Ｃヘッド、Ｍヘッド、及びＹヘッドは、それぞれＥＥＰＲＯＭを内蔵し、このＥＥＰＲＯＭにシリアルＮＯ、及び光量補正データ等の情報を記憶する。例えば、ＫヘッドのＥＥＰＲＯＭ７０Ｋには当該ＫヘッドのシリアルＮＯ、及びＫヘッドの光量補正データを記憶する。また、ＣヘッドのＥＥＰＲＯＭ７０Ｃには当該ＣヘッドのシリアルＮＯ、及びＣヘッドの光量補正データを記憶する。同様に、ＭヘッドのＥＥＰＲＯＭ７０Ｍには当該ＭヘッドのシリアルＮＯ、及びＭヘッドの光量補正データを記憶し、ＹヘッドのＥＥＰＲＯＭ７０Ｙには当該ＹヘッドのシリアルＮＯ、及びＹヘッドの光量補正データを記憶する。
【００４５】
プリンタ制御サブ基板６７には、ＣＰＵ６７ａ、ＲＯＭ（プログラム）６７ｂ、ＲＡＭ６７ｃ、及びデータフラッシュ６７ｄが内蔵され、データフラッシュ６７ｄには上記プリンタ制御メイン基板６６のＥＥＰＲＯＭ６６ｄに記憶されたデータのバックアップデータが記憶される。また、上記ＣＰＵ６７ａ、及びＲＯＭ６７ｂは、前述の図１に示すＣＰＵ５０、及びＲＯＭ５４に含まれる。
【００４６】
以上の構成において、以下に本例の処理動作を説明する。
図４は本例の処理動作を説明するフローチャートであり、前述のＥＥＰＲＯＭ６６ｄに記憶されたデータのバックアップ処理を説明するものである。尚、ＥＥＰＲＯＭ６６ｄには、前述のように光書込ヘッド１３（Ｋヘッド、Ｃヘッド、Ｍヘッド、及びＹヘッド）のシリアル番号や光量補正データを記憶し、また出荷後のプリンタ装置１の消耗品や、定期交換部品、その他制御に必要なパラメータを記憶している。
【００４７】
先ず、バックアップ処理の要求が有るか判断する（ステップ（以下、Ｓで示す）１）。ここで、バックアップ処理の要求が有れば（Ｓ１がＹＥＳ）、バックアップ処理に移行するが、バックアップ処理には後述する実施条件が必要であり、この条件を満たしていない場合（Ｓ１がＮＯ）、バックアップ処理の実施条件の判断を行う（Ｓ２）。
【００４８】
ここで、バックアップ処理の実施条件は、例えば以下のような場合である。例えば、過去に有効なバックアップデータがプリンタ制御サブ基板６７のデータフラッシュ６７ｄに記憶されていない場合である。また、前回転処理や自動調整処理（例えば、印字濃度調整処理）のためのイニシャル回転動作が実施された場合である。また、ＥＥＰＲＯＭ６６ｄに記憶された設定値、例えば前述の制御に必要なパラメータの変更指定が行われた場合である。また、前回のバックアップ処理からある程度の印刷処理（例えば、１００枚の印刷処理）を実施した場合である。さらに、前回のバックアップ処理からある程度の定着回転処理が行われた場合である。したがって、上記実施条件に対応する場合（Ｓ２がＹＥＳ）、バックアップ要求を行う（Ｓ３）。
【００４９】
次に、上記バックアップ要求が有ると（Ｓ１がＹＥＳ）、先ず現在モータ回転中か否か（Ｓ４）、及び接続デバイス制御中であるか判断し（Ｓ５）、モータ回転中ではなく（Ｓ４がＮＯ）、また接続デバイス制御中でもない場合（Ｓ５がＮＯ）、バックアップ処理を行う（Ｓ６）。すなわち、モータがイニシャル回転動作や、自動調整、定着ウオームアップのための回転動作を行っていない場合や、ＥＥＰＲＯＭの書き込み動作等を行っていない場合、バックアップ処理を行う（Ｓ６）。
【００５０】
このバックアップ処理は、前述のＥＥＰＲＯＭ６６ｄに記憶されたデータをプリンタ制御サブ基板６７のデータフラッシュ６７ｄに記憶する（バックアップする）処理である。したがって、この処理によって、ＥＥＰＲＯＭ６６ｄに記憶された光書込ヘッド１３（Ｋヘッド、Ｃヘッド、Ｍヘッド、及びＹヘッド）のシリアル番号や光量補正データ、出荷後のプリンタ装置１の消耗品や、定期交換部品、その他制御に必要なパラメータ等のデータは、データフラッシュ６７ｄにも記憶される（バックアップされる）。
【００５１】
次に、上記処理によってデータフラッシュ６７ｄに記憶されたデータは、プリンタ制御メイン基板６６の交換作業が行われた際、リストアされる。このため、プリンタ制御メイン基板６６の交換が行われたことを判断する必要がある。図５に示すフローチャートは、プリンタ制御メイン基板６６の交換を判断する処理動作を説明するものである。
【００５２】
この処理は各種イニシャライズ処理において実行され（ステップ（以下、ＳＴで示す）１）、このイニシャライズ処理において、例えば光書込ヘッド１３の情報チェック、及びＥＥＰＲＯＭリストア確認を行う際に実行される。
【００５３】
先ず、未接続等のヘッド異常を判断する（ＳＴ２）。例えば、光書込ヘッド１３（Ｋヘッド、Ｃヘッド、Ｍヘッド、及びＹヘッド）が装置本体に接続されていない場合には未接続であり、ヘッド異常であると判断する（ＳＴ２がＹＥＳ）。この場合、ヘッド異常サービスコールを発生し（ＳＴ３）、オペレータに通知する。
【００５４】
一方、ヘッド異常ではない場合（ＳＴ２がＮＯ）、接続されている光書込ヘッド１３からデータを読み出し、ＲＯＭ（フラッシュメモリ）６６ｂに記憶されたデータとの一致を判断する（ＳＴ４）。すなわち、ＫヘッドのＥＥＰＲＯＭ７０ＫからシリアルNo.のデータを読み出し、ＣヘッドのＥＥＰＲＯＭ７０ＣからシリアルNo.のデータを読み出し、ＭヘッドのＥＥＰＲＯＭ７０ＭからシリアルNo.のデータを読み出し、ＹヘッドのＥＥＰＲＯＭ７０ＹからシリアルNo.のデータを読み出し、それぞれのシリアルNo.のデータとＲＯＭ（フラッシュメモリ）６６ｂに記憶されたシリアルNo.のデータとの一致判断を行う。
【００５５】
ここで、Ｋヘッド、Ｃヘッド、Ｍヘッド、及びＹヘッドの全てのシリアルNo.が一致していれば（ＳＴ４がＹＥＳ）、プリンタ制御メイン基板６６及び光書込ヘッド１３の何れの交換も行われていないと判断でき、通常動作フローを実行する（ＳＴ５）。
【００５６】
一方、全てのヘッドのシリアルNo.が一致していなければ（ＳＴ４がＮＯ）、以後プリンタ制御メイン基板６６、プリンタ制御サブ基板６７、又は光書込ヘッド１３（Ｋヘッド、Ｃヘッド、Ｍヘッド、及びＹヘッド）の何れかが交換されたものと判断して以下の処理を行う。
【００５７】
先ず、４本の光書込ヘッド１３（Ｋヘッド、Ｃヘッド、Ｍヘッド、及びＹヘッド）のシリアルNo.のデータとＲＯＭ（フラッシュメモリ）６６ｂに記憶されたシリアルNo.のデータの何れかが一致しているか判断する（ＳＴ６）。ここで、何れか１つでもシリアルNo.のデータが一致していれば（ＳＴ６がＹＥＳ）、個別ヘッドの交換が行われたものと判断する。例えば、Ｋヘッドのみ交換、又はＫヘッドとＣヘッドの交換等の判断が行われ、プリンタ制御メイン基板６６の交換が行われたものではないと判断する。
【００５８】
次に、上記判断において、何れのシリアルNo.のデータも一致しなければ（ＳＴ６がＮＯ）、ＲＯＭ（フラッシュメモリ）６６ｂに記憶されたシリアルNo.のデータとＥＥＰＲＯＭ６６ｄに記憶されたシリアルNo.のデータのどれかが一致するか判断する（ＳＴ７）。ここで、何れかのシリアルNo.のデータが一致すれば（ＳＴ７がＹＥＳ）、ＲＯＭ（フラッシュメモリ）６６ｂのデータのみが変化したものと判断し、プリンタ制御メイン基板６６が交換されたものではないと判断する。
【００５９】
一方、上記判断において、何れかのシリアルNo.のデータも一致していなければ（ＳＴ７がＮＯ）、更にプリンタ制御サブ基板６７のデータフラッシュ６７ｄに記憶されたシリアルNo.のデータと何れかが一致しているか判断する（ＳＴ８）。ここで、データフラッシュ６７ｄに記憶されたデータは前述のバックアップデータである。したがって、何れかのシリアルNo.のデータが一致している場合（ＳＴ８がＹＥＳ）、データフラッシュ６７ｄのデータは正規のデータであり、プリンタ制御メイン基板６６が交換されたものと判断できる。
【００６０】
一方、上記判断において何れのシリアルNo.のデータも一致しない場合（ＳＴ８がＮＯ）、以下の場合が考えられる。例えば、全ての光書込ヘッド１３（Ｋヘッド、Ｃヘッド、Ｍヘッド、及びＹヘッド）が同時に交換された場合である。また、プリンタ制御メイン基板６６とプリンタ制御サブ基板６７が同時に交換された場合や、プリンタ制御メイン基板６６と全ての光書込ヘッド１３（Ｋヘッド、Ｃヘッド、Ｍヘッド、及びＹヘッド）が同時に交換された場合や、プリンタ制御サブ基板６７と全ての光書込ヘッド１３が同時に交換された場合である。さらに、プリンタ制御メイン基板６６とプリンタ制御サブ基板６７と全ての光書込ヘッド１３が交換された場合である。
【００６１】
すなわち、上記各場合において、プリンタ制御メイン基板６６のみが交換されたと判断することはできない。したがってこの場合、プリンタ制御メイン基板６６のみが交換されたとは判断できず、データフラッシュ６７ｄに記憶されたバックアップデータのリストア処理を行わない。
【００６２】
したがって、上記のように、何れかのシリアルNo.のデータが一致している場合（ＳＴ８がＹＥＳ）、プリンタ制御メイン基板６６が交換されたものと判断し、データフラッシュ６７ｄに記憶されたバックアップデータをプリンタ制御メイン基板６６のＥＥＰＲＯＭ６６ｄにリストアする（ＳＴ９）。
【００６３】
その後、新しいヘッド情報をプリンタ制御メイン基板６６のＲＯＭ（フラッシュメモリ）６６ｂに格納し（ＳＴ１０）、ＲＯＭ（フラッシュメモリ）６６ｂの異常を判断し（ＳＴ１１）、処理を終了する。尚、この判断において異常であると判断した場合には、メモリ異常のサービスコールを行う（ＳＴ１１がＹＥＳ、ＳＴ１２）。
以上のように本実施形態によれば、プリンタ制御メイン基板６６のみが交換されたことを一定間隔で行うイニシャル処理において容易に判断でき、従ってプリンタ制御メイン基板６６が交換された時、プリンタ制御メイン基板６６のＥＥＰＲＯＭ６６ｄに対して確実にバックアップデータのリストア処理を行うことができる。
【００６４】
尚、本実施形態の説明においては、ブラック（Ｋ）、シアン（Ｃ）、マゼンタ（Ｍ）、及びイエロー（Ｙ）のビデオデータに対応するＫヘッド、Ｃヘッド、Ｍヘッド、及びＹヘッドの光書込ヘッド１３について説明したが、上記４色の光書込ヘッドに限定されるものではなく、例えば２色、又は４色以上の光書込ヘッドを使用する印刷装置においても本発明を実施することができる。このように構成することにより、より汎用性のある印刷装置を実現することができる。
【００６５】
本発明はいくつかの実施形態を説明したが、本発明は特許請求の範囲に記載された発明とその均等の範囲に含まれる。以下、本件特許出願の出願当初の特許請求の範囲に記載された発明を付記する。
【００６６】
付記１
印刷制御部の制御に基づいて、ビデオデータを複数の印字ヘッドに出力し、記録媒体に印刷処理を行う印刷装置において、
前記複数の印字ヘッドの特定情報を記憶する第１の記憶手段が配設された第１の回路基板と、
前記第１の記憶手段に記憶された情報と同じ情報を記憶する第２の記憶手段が配設された第２の回路基板と、
前記第１の回路基板に配設された第３の記憶手段に前記印字ヘッドの特定情報を更に記憶し、該第３の記憶手段に記憶された印字ヘッドの特定情報に基づいて、前記第１の回路基板のみが交換されたことを判断する判断手段と、
該判断手段の判断結果に基づき、前記第２の記憶手段に記憶した印字ヘッドの特定情報を前記第１の記憶手段に記憶させる記憶処理手段と、
を有することを特徴とする印刷装置。
【００６７】
付記２
前記判断手段は、先ず複数の印字ヘッドに記憶された印字ヘッドの特定情報と第３の記憶手段に記憶された印字ヘッドの特定情報との一致を判断し、少なくとも何れか１つの印字ヘッドの特定情報が一致しない時、前記第１の記憶手段に記憶された印字ヘッドの特定情報との一致判断を行い、何れの印字ヘッドの特定情報とも一致しない時、更に第２の記憶手段に記憶した印字ヘッドの特定情報との一致を判断し、何れかの印字ヘッドの特定情報が一致している時、前記第１の回路基板のみが交換されたと判断することを特徴とする付記１に記載の印刷装置。
【００６８】
付記３
前記複数の印字ヘッドに記憶された印字ヘッドの特定情報と第３の記憶手段に記憶された印字ヘッドの特定情報との一致の判断において、全ての印字ヘッドの特定情報が一致せず、少なくとも何れか１つの印字ヘッドの特定情報が一致する時、前記複数の印字ヘッドの何れかが交換されたものと判断することを特徴とする付記２に記載の印刷装置。
【００６９】
付記４
前記複数の印字ヘッドは、色毎に前記ビデオデータを入力し、前記記録媒体に対応する色の印字を行う光書込ヘッドであることを特徴とする付記１、２、又は３に記載の印刷装置。
【００７０】
付記５
第１の回路基板と第２の回路基板を備え、印刷制御部の制御に基づいて、ビデオデータを複数の印字ヘッドに出力し、記録媒体に印刷処理を行う印刷装置の制御方法において、
前記複数の印字ヘッドの特定情報を前記第１の回路基板に配設された第１の記憶手段に記憶する処理と、
前記第１の記憶手段に記憶された情報と同じ情報を前記第２の回路基板に配設された第２の記憶手段に記憶する処理と、
前記第１の回路基板に配設された第３の記憶手段に前記印字ヘッドの特定情報を更に記憶し、該第３の記憶手段に記憶された印字ヘッドの特定情報に基づいて、前記第１の回路基板のみが交換されたことを判断する判断処理と、
該判断結果に基づき、前記第２の記憶手段に記憶した印字ヘッドの特定情報を前記第１の記憶手段に記憶させる記憶処理と、
を行うことを特徴とする印刷装置の制御方法。
【００７１】
付記６
前記判断処理は、先ず前記複数の印字ヘッドに記憶された印字ヘッドの特定情報と前記第３の記憶手段に記憶された印字ヘッドの特定情報との一致を判断し、少なくとも何れか１つの印字ヘッドの特定情報が一致しない時、前記第１の記憶手段に記憶された印字ヘッドの特定情報との一致判断を行い、何れの印字ヘッドの特定情報とも一致しない時、更に第２の記憶手段に記憶した印字ヘッドの特定情報との一致を判断し、何れかの印字ヘッドの特定情報が一致している時、前記第１の回路基板のみが交換されたと判断することを特徴とする付記５に記載の印刷装置の制御方法。
【符号の説明】
【００７２】
１  フルカラー画像形成装置（プリンタ）
２  画像形成部
３  転写ベルトユニット
４  トナー供給部
５  給紙部
６  ベルト式定着ユニット
７  両面印刷用搬送ユニット
８  転写ベルト
８ａ  下部走行部表面
９（９ｍ、９ｃ、９ｙ、９ｋ）  現像装置
１０  感光体ドラム
１１  クリーナ
１２  帯電ローラ
１３  光書込ヘッド
１４  現像器
１５  現像ローラ
１６  筐体
１７  隔壁
１５  現像ローラ
１８  第１の攪拌搬送スクリュー
１９  第２の攪拌搬送スクリュー
２０  一次転写ローラ
２１  駆動ローラ
２２  従動ローラ
２３  二次転写部
２４  ベルトクリーナ
２５  廃トナー回収容器
２６（２６ｍ、２６ｃ、２６ｙ、２６ｋ）  リザーブタンク
２７（２７ｍ、２７ｃ、２７ｙ、２７ｋ）  トナーカートリッジ
２９（２９ａ、２９ｂ）  給紙カセット
３０  電装部
３１  用紙取出ローラ
３２  給送ローラ
３３  捌きローラ
３４  待機搬送ローラ対
３５  二次転写ローラ
３６  搬出ローラ対
３７  排紙トレー
３８  排紙ローラ対
３９  返送路
３９ａ  開始返送路
３９ｂ  中間返送路
３９ｃ  終端返送路
４１（４１ａ、４１ｂ、４１ｃ、４１ｄ、４１ｅ）  返送ローラ対
５０  ＣＰＵ
５１  インターフェイスコントローラ（Ｉ／Ｆ＿ＣＯＮＴ）
５２  プリンタコントローラ（ＰＲ＿ＣＯＮＴ）
５３  プリンタ印字部
５４  ＲＯＭ
５５  ＥＥＰＲＯＭ
５６  操作パネル
５７  センサ部
５８  ドットカウンタ
６０  フレームメモリ
６５  Ｉ／Ｆ制御基板
６５ａ  ＣＰＵ
６５ｂ  ＲＯＭ
６５ｃ  ＲＡＭ
６６  プリンタ制御メイン基板
６６ａ  ＣＰＵ
６６ｂ  ＲＯＭ
６６ｃ  ＲＡＭ
６６ｄ  ＥＥＰＲＯＭ
６７  プリンタ制御サブ基板
６７ａ  ＣＰＵ
６７ｂ  ＲＯＭ（プログラム）
６７ｃ  ＲＡＭ
６７ｄ  データフラッシュ
７０Ｋ、７０Ｍ，７０Ｃ，７０Ｙ  ＥＥＰＲＯＭ
【図１】
0005786366.tif 000002
【図２】
0005786366.tif 000003
【図３】
0005786366.tif 000004
【図４】
0005786366.tif 000005
【図５】
0005786366.tif 000006